(57)【要約】  可動家具部品（２）用の駆動装置（１）は、閉じ位置（ＳＳ）から開き位置（ＯＳ）に可動家具部品を押し出すためのロック可能な取り出し装置（３）を有する。この取り出し装置（３）は、閉じ方向において閉じ位置（ＳＳ）の後ろにある超過押圧位置（ＵＳ）に向けて可動家具部品（２）を超過押圧することでロック解除可能であり、閉じ位置（ＳＳ）と超過押圧位置（ＵＳ）との間に超過押圧領域（Ｕ）がある。駆動装置（１）はまた、可動家具部品（２）の閉じ動作を減衰させるための減衰装置（４）を有する。減衰装置（４）は、開き方向（ＯＲ）で見たときに前記閉じ位置（ＳＳ）の前方に位置する主減衰領域（Ｈ）での減衰力（Ｄ）が、前記超過押圧領域（Ｕ）でのものよりも大きい、という変位依存性減衰作用を有する。【選択図】図９
2016516495.tif 000002
【特許請求の範囲】
【請求項１】
可動家具部品（２）用の駆動装置（１）であって、
閉じ位置（ＳＳ）から開き位置（ＯＳ）に可動家具部品（２）を取り出すためのロック可能な取り出し装置（３）であって、当該取り出し装置（３）は、閉じ方向において閉じ位置（ＳＳ）の後ろにある超過押圧位置（ＵＳ）に向けて可動家具部品（２）を超過押圧することでロック解除可能であり、前記閉じ位置（ＳＳ）と前記超過押圧位置（ＵＳ）との間に超過押圧領域（Ｕ）がある、取り出し装置（３）と、
可動家具部品（２）の閉じ動作を減衰させるための減衰装置（４）と、
を備えた可動家具部品（２）用の駆動装置（１）において、
前記減衰装置（４）は、開き方向（ＯＲ）で見たときに前記閉じ位置（ＳＳ）の前方に位置する主減衰領域（Ｈ）における減衰力（Ｄ）が、前記超過押圧領域（Ｕ）におけるものよりも大きい、という変位依存性減衰作用を有する、ことを特徴とする駆動装置。
【請求項２】
前記減衰力（Ｄ）は、可動家具部品（２）の閉じ動作の閉じ速度に依存する、ことを特徴とする請求項１に記載の駆動装置。
【請求項３】
前記主減衰領域（Ｈ）における減衰力（Ｄ）は、前記超過押圧領域（Ｕ）における減衰力（Ｄ）の少なくとも５倍、好ましくは少なくとも１２倍である、ことを特徴とする請求項１又は２に記載の駆動装置。
【請求項４】
前記主減衰領域（Ｈ）において、０．４ｍ／ｓの閉じ速度での減衰力（Ｄ）が、少なくとも３５Ｎ、好ましくは４５Ｎ〜１３０Ｎである、ことを特徴とする請求項１〜３のいずれか一項に記載の駆動装置。
【請求項５】
前記超過押圧領域（Ｕ）において、０．４ｍ／ｓの閉じ速度での減衰力（Ｄ）が、０Ｎ〜５Ｎである、ことを特徴とする請求項１〜４のいずれか一項に記載の駆動装置。
【請求項６】
閉じ方向（ＳＲ）で見て、プレ減衰領域（Ｖ）が前記主減衰領域（Ｈ）の前にあり、
前記主減衰領域（Ｈ）での減衰力（Ｄ）がプレ減衰領域（Ｖ）でのものよりも大きい、
ことを特徴とする請求項１〜５のいずれか一項に記載の駆動装置。
【請求項７】
前記主減衰領域（Ｈ）での減衰力（Ｄ）が前記プレ減衰領域（Ｖ）でのものよりも、少なくとも５０％だけ、好ましくは少なくとも１００％だけ大きい、ことを特徴とする請求項６に記載の駆動装置。
【請求項８】
前記プレ減衰領域（Ｖ）において、０．４ｍ／ｓの閉じ速度での減衰力（Ｄ）が、５Ｎ〜３５Ｎである、ことを特徴とする請求項６又は７に記載の駆動装置。
【請求項９】
前記プレ減衰領域（Ｖ）、前記主減衰領域（Ｈ）及び前記超過押圧領域（Ｕ）は、互いに直接的に隣接している、ことを特徴とする請求項６〜８のいずれか一項に記載の駆動装置。
【請求項１０】
前記主減衰領域（Ｈ）は、前記閉じ位置（ＳＳ）以前で、又は、ちょうど前記閉じ位置（ＳＳ）で終わる、ことを特徴とする請求項１〜９のいずれか一項に記載の駆動装置。
【請求項１１】
前記主減衰領域（Ｈ）の長さは、最大３０ｍｍ、好ましくは１５ｍｍ〜２０ｍｍである、ことを特徴とする請求項１〜１０のいずれか一項に記載の駆動装置。
【請求項１２】
前記減衰装置（４）は、減衰媒体（Ｍ）で満たされた減衰シリンダ（５）と、前記減衰シリンダ（５）内に移動可能に支持された減衰ピストン（６）とを有する、ことを特徴とする請求項１〜１１のいずれか一項に記載の駆動装置。
【請求項１３】
前記減衰シリンダ（５）は、その内面において、前記主減衰領域（Ｈ）を形成する狭窄部（７）を有する、ことを特徴とする請求項１２に記載の駆動装置。
【請求項１４】
前記減衰装置（４）は、過負荷保護機構を有する、ことを特徴とする請求項１〜１３のいずれか一項に記載の駆動装置。
【請求項１５】
前記減衰装置（４）は、少なくとも部分的に平行に作動すると共に、好ましくはピストン・シリンダユニットの形態をなすところの二つの減衰ユニット（４ａ，４ｂ）を有しており、前記主減衰領域（Ｈ）は当該減衰ユニットのうちの一方（４ｂ）にだけ設けられている、ことを特徴とする請求項１〜１４のいずれか一項に記載の駆動装置。
【請求項１６】
開き位置（ＯＳ）から閉じ位置（ＳＳ）に可動家具部品（２）を引き戻すための引き戻し装置（８）を備える、ことを特徴とする請求項１〜１５のいずれか一項に記載の駆動装置。
【請求項１７】
請求項１〜１６のいずれか一項に記載の駆動装置（１）を有する家具製品（９）。
【請求項１８】
前記減衰装置（４）は、閉じ位置（ＳＳ）に達する前の前記主減衰領域（Ｈ）での可動家具部品（２）の閉じ動作を、０．３ｍｍ／秒未満の速度へ、好ましくは０．１ｍｍ／秒未満の速度へ低減する、ことを特徴とする請求項１７に記載の家具製品。
【請求項１９】
前記主減衰領域（Ｈ）において、前記減衰装置（４）は、少なくとも５秒間、０．３ｍｍ／秒未満の速度へ閉じ動作を減衰する、ことを特徴とする請求項１７又は１８に記載の家具製品。
【発明の詳細な説明】
【技術分野】
【０００１】
本発明は、可動家具部品用の駆動装置に関するものであり、当該駆動装置は、
閉じ位置から開き位置に可動家具部品を取り出すためのロック可能な取り出し装置であって、当該取り出し装置は、閉じ方向において閉じ位置の後ろにある超過押圧位置に向けて可動家具部品を超過押圧することでロック解除可能であり、前記閉じ位置と前記超過押圧位置との間に超過押圧領域がある、取り出し装置と、
可動家具部品の閉じ動作を減衰させるための減衰装置と、を備えるものである。
本発明は更に、そのような駆動装置を有する家具製品に関するものである。
【背景技術】
【０００２】
駆動装置、つまり、可動家具部品（例えば引き出し）を押すことで家具カーカス（家具枠体）からの可動家具部品のロック解除が起き、可動家具部品が開く又は能動的に押し出されることに用いられる駆動装置が、家具用取り付け器具産業において既に長年にわたり知られている。その目的のためのそのような駆動装置は、いわゆるタッチラッチ機構を有している。その機構では、引き出しを開き位置から閉じる動作と、引き出しを閉じ位置からロック解除する又は開く動作は、同じ方向、つまり閉じ方向である。（手動での又は引き戻し装置による）通常のソフトな閉鎖の場合、引き出し即ち可動家具部品は、ロック装置によって閉じ位置における閉じ動作の端部に保持される。しかしながら、引き出しが過度に固く押し閉められるならば、あるいは、引き出しが末端当接部(end abutment)（これは超過押圧位置に相当する）の所まで押されるならば、取り出し装置は、もはや全くロックすることができないか、又は、再び即座にトリガー（動作開始）され、可動家具部品のそのような不正確な作動の場合には、引き出しがしっかりと閉じられる保証がない。
【０００３】
この問題を解決するために、オーストリア特許出願Ａ  ５２／２０１２（これは、より早い優先日を持つが先行公報（公知刊行物）ではない）によって、過度に早い閉じ動作の場合に超過押圧位置への動きを防止するべく、ブロック要素が知られている。
【先行技術文献】
【特許文献】
【０００４】
【特許文献１】オーストリア特許出願Ａ  ５２／２０１２
【発明の概要】
【発明が解決しようとする課題】
【０００５】
本発明の目的は、可動家具部品が末端当接部の所まで押される、又は超過押圧位置まで押されるのを防止して、取り出し装置を素早く起動するための代替的な手法を提供することにある。
【課題を解決するための手段】
【０００６】
本発明の目的は、請求項１の特徴を有する駆動装置によって達成される。それによれば、減衰装置は変位依存性減衰作用を有している。つまり、開き方向で見たときに、閉じ位置の前方に位置する主減衰領域における減衰力が、前記超過押圧領域におけるものよりも大きい、という変位依存性減衰作用を有している。かくして、可動家具部品の動きは、閉じ位置に達する直前に減衰装置によって強く抑制され又はブレーキがかけられ、これにより、操作者がかける高レベルの力でもって可動家具部品を閉じ位置に動かそうとする操作者にとって、閉じ位置への到達がシミュレーション（想定）される。その結果、操作者はもはや可動家具部品を押し続けることはなく、取り出し装置の不要で拙速な作動開始（起動）が防止される。
【０００７】
原則として、減衰装置の減衰力は可動家具部品の閉じ速度に依存する点に注意すべきである。（負荷を伴った）可動家具部品の重さおよび減衰装置の減衰長さは、減衰装置の動作に追加的な影響を及ぼす。減衰装置は自動的にそれ自身を同レベルに平準化する、すなわち、可動家具部品の閉じ速度や重さが大きいほど、それに応じて減衰装置の減衰力も大きくなる。低い閉じ速度では、減衰力が少しだけ適用されなければならない。好ましくは、減衰装置は、４０ｋｇの荷を載せた可動家具部品の場合、０．４ｍ／ｓの閉じ速度で、２６ｍｍの減衰長（シリンダ寸法）で、（減衰装置の端を打つことなく）可動家具部品が０ｍ／ｓにブレーキングされる、というように設計される。減衰装置において測定又は判定され得る減衰力は、本願ではニュートン（略記号：Ｎ）で特定される。
【０００８】
本発明の好ましい態様では、主減衰領域において、０．４ｍ／ｓの閉じ速度での減衰力が、少なくとも３５Ｎ、好ましくは４５Ｎ〜１３０Ｎである。好ましくない超過押圧が起きたときの閉じ位置の到達は、可動家具部品の駆動装置用の従来公知の減衰装置と対比して、相対的に高い減衰力で模倣（又は再現）される。
【０００９】
しかしながら、駆動装置の所望のロック解除や取り出し動作を防止しないためには、超過押圧領域において、０．４ｍ／ｓの閉じ速度での減衰力が０Ｎ〜５Ｎであることが好ましい。相対的な比較で表すと、主減衰領域における減衰力は、超過押圧領域における減衰力の少なくとも５倍、好ましくは少なくとも１２倍である。
【００１０】
できるだけ均一なソフトな減衰操作のためには、閉じ方向において、プレ減衰領域（予備減衰領域）が主減衰領域の前にあり、主減衰領域での減衰力がプレ減衰領域でのもの（減衰力）よりも大きいことが好ましい。特に好ましくは、プレ減衰領域において、０．４ｍ／ｓの閉じ速度での減衰力が５Ｎ〜３５Ｎである。その場合、相対的な表示として、主減衰領域での減衰力がプレ減衰領域での減衰力よりも、少なくとも５０％だけ、好ましくは少なくとも１００％だけ大きくあることができる。
【００１１】
加えて、個々の減衰領域間の穏やかな遷移（又は移行）を提供するために、プレ減衰領域、主減衰領域及び超過押圧領域が互いに直接的に隣接していることが好ましい。
【００１２】
原則として、主減衰領域は、閉じ位置の前のいずれの位置にもあることができる。しかしながら、できるだけ正確に閉じ位置の到達を模倣（又は再現）するためには、主減衰領域が、閉じ位置の前の短い範囲（約１〜１５ｍｍ）で終了する、又は正しく閉じ位置で終了することが好ましい。
【００１３】
ニュートン単位による主減衰領域の定義に代わるものとして、減衰装置は、閉じ位置に達する前の主減衰領域における可動家具部品の閉じ動作を、０．３ｍｍ／秒未満の速度、好ましくは０．１ｍｍ／秒未満の速度へ低減する。その速度の仕様（詳細）は、それまでの閉じ速度および可動家具部品の重さに大きく依存することは、理解されよう。理想的には、可動家具部品の荷重が４０ｋｇ、閉じ速度が０．４ｍ／ｓの状態で、前記の速度低減が主減衰領域の端（位置）で達成されるべきである。
【００１４】
原理上、様々な長さの減衰装置を使用することが可能である。但し、主減衰領域の長さは、最大３０ｍｍ、より好ましくは１５ｍｍ〜２０ｍｍであることが好ましい。
【００１５】
不正確な操作の場合の操作者に、（模倣又は再現された）閉じ位置の到達に十分な注意を振り向けさせるためには、主減衰領域において減衰装置が、少なくとも５秒間、０．３ｍｍ／秒未満の速度へ閉じ動作を減衰することが好ましい。
【００１６】
原則として、異なる種類の減衰装置（例えば回転ダンパー等）を使用することができる。しかしながら、減衰装置が、減衰媒体で満たされた減衰シリンダと、前記減衰シリンダ内に移動可能に支持された減衰ピストンとを有することは好ましい。主減衰領域で高い減衰力を実現するために、減衰シリンダがその内面において、主減衰領域を形成する狭窄部（又はくびれ部）(constriction)を有することは好ましい。
【００１７】
高重量のために、及び／又は、高い閉じ速度のために、主減衰領域において、減衰装置の最大減衰力を超過することさえも起こり得る。その場合に減衰装置の損傷を防止するために、減衰装置が過負荷保護機構を有することは好ましい。そのような過負荷保護機構の例として、オーストリア出願ＡＴ  １２６３３  Ｕ１及び国際公開ＷＯ  ２００３／０８１０７７  Ａ１に対し注意が喚起される。
【００１８】
好ましくは、個々の減衰領域（プレ減衰領域、主減衰領域および超過押圧領域）が単一の減衰ユニットに一体化されて設けられている。しかしながら、「減衰装置が、少なくとも部分的に平行に作動すると共に、好ましくはピストン・シリンダユニットの形態をなすところの二つの減衰ユニットを有しており、主減衰領域が当該二つの減衰ユニットのうちの一方にだけ設けられている」との可能性もまた、排除されるべきではない。それは、既存の駆動装置に事後装着される場合に特に、適切であり得る。より具体的には、その場合には、前記主減衰領域を有する追加の一つの減衰ユニットだけが、既存の減衰ユニットに対して追加されることになる。
【００１９】
自動取り出し装置以外に、上述の装置は、開き位置から閉じ位置に可動家具部品を引き戻すための引き戻し装置を備えることもできる。その点で、引き戻し装置によって生じた引き戻し動作が減衰装置によって減衰され得ることは好ましい。通常の引き戻しプロセスにおいて、その場合の引き戻し装置は主減衰領域を乗り越えて、駆動装置全体を「真なる」閉じ位置に移動させる。
【００２０】
（発明の）保護は、特許請求の範囲に記載したような家具製品についても求められている。一般にその構成では、駆動装置は家具カーカス（家具枠体）上に設けられて、可動家具部品を能動的に取り出す（イジェクトする）ことが可能である。反対に、駆動装置はまた、可動家具部品の方に連結可能であり、家具カーカスを押して家具カーカスから離れるようにすることも可能である。減衰装置自体は、取り出し装置と同じ領域に配置される必要は無い。むしろ減衰装置は、家具カーカスと可動家具部品との間で独立して作動することができる。好ましくは、減衰装置は延出ガイド手段に固定され、カーカスレールに対する引出しレールの動きを減衰する。特に好ましくは、減衰装置は、取り出し装置とは別に存在し得る引き戻し装置の一部であってもよい。基本的に、閉じ位置に達する前の短時間に主減衰領域が可動家具部品の閉じ動作を減衰するように、減衰装置が可動家具部品の領域のどこかに配置されることが、重要である。
【００２１】
本発明の更なる詳細および利点は、図示された例による実施形態を参照した具体的な説明によって、以下に、更に十分に説明される。
【図面の簡単な説明】
【００２２】
【図１】図１は、様々な位置にある可動家具部品を模式的に示す。
【図２】図２は、プレ減衰領域（予備減衰領域）での減衰装置を示す。
【図３】図３は、主減衰領域での減衰装置を示す。
【図４】図４は、超過押圧領域での減衰装置を示す。
【図５】図５〜７は、様々な位置での減衰装置の３Ｄ断面図である。
【図６】図５〜７は、様々な位置での減衰装置の３Ｄ断面図である。
【図７】図５〜７は、様々な位置での減衰装置の３Ｄ断面図である。
【図８】図８は、平行に配置された二つの減衰ユニットを有する減衰装置を示す。
【図９】図９は、減衰力の概略のグラフを示す。
【図１０】図１０は、具体的な値に基づく減衰力のグラフを示す。
【発明を実施するための形態】
【００２３】
図１は概ね、家具カーカス（家具枠体）１０と、それぞれ異なる位置に配置された４つの可動家具部品２とを示す。下向き方向に、可動家具部品（引出し）２は、開き位置ＯＳにあり、閉じ方向ＳＲに動いた後もまだ別の開き位置ＯＳにあり、閉じ方向ＳＲに更に動いた後には閉じ位置ＳＳにあり、超過押圧後には前記閉じ位置ＳＳよりも後ろの超過押圧位置ＵＳにある。各可動家具部品２は、引出しコンテナ１１および前面パネル１２を含む。各可動家具部品２は、延出ガイド手段１５によって家具カーカス１０に移動可能に取り付けられている。延出ガイド手段１５は、引出しレール１３と、カーカスレール１４と、任意的には中央レール（図示略）とを含む。
【００２４】
駆動装置１の本質的なコンポーネントは、ロック可能な取り出し装置３と、減衰装置４である。図１に示すように、取り出し装置３は、ベースプレート１６を介して引出しレール１３および可動家具部品２にそれぞれ接続されている。取り出しスライダ１７がベースプレート１６上に移動可能に取り付けられている。取り出し力貯蔵手段２１（図１に示すように、圧縮されていない圧縮バネ）が、一方ではベースプレート１６に、他方では取り出しスライダ１７に固定されている。ロックレバー１８が取り出しスライダ１７に旋回可能に取り付けられており、ロックレバー１８の先端にはロックピン１９が設けられている。ロックピン１９は、ベースプレート１６の心臓形形状のガイド経路２０内でガイドされる。取り出しスライダ１７の全体がロック装置２４によってベースプレート１６にロック可能であり、ロック装置２４は、ロックピン１９、心臓形形状のガイド経路２０およびそのラッチ凹部２２によって形成されている。取り出しスライダ１７は、家具カーカスに対し固定された同調部２３を介して、家具カーカス１０に少なくとも部分的に連結されるか結合可能となっている。
【００２５】
図１に示すように、可動家具部品２の閉じ動作を減衰する減衰装置４は、カーカスレール１４上に配置されており、減衰シリンダ５、減衰媒体Ｍ、及び減衰シリンダ５に移動可能に支持された減衰ピストン６を有している。加えて、延出ガイド手段１５の領域には、引張バネの形態の引き込み力貯蔵手段２５を有する引き戻し装置８が設けられている。減衰装置４は、プレ減衰領域Ｖおよび主減衰領域Ｈを超えて閉じ位置ＳＳに到達する前に移動距離依存性減衰作用が提供されるような構成を有している。
【００２６】
詳しくは、その点に関して図２に注意が向けられるべきであり、図２は、ピストンロッド２９と共に減衰ピストン６が減衰シリンダ５内に移動可能に設けられている。この断面図から見てとれるように、シールリング２７が減衰ピストン６の周りに配置されている。加えて、減衰溝２８が減衰シリンダの内表面に設けられており、減衰媒体Ｍが、ピストンロッドから遠く離れた減衰ピストン６の一側から、これとは逆にピストンロッドの方にある減衰ピストン６の一側へ流れることができるようになっている。減衰シリンダ５は、減衰媒体Ｍが漏れ出さないようにシリンダカバー２６によって閉じられている。この図２では、減衰ピストン６はプレ減衰領域Ｖにある。
【００２７】
これに対し、図３では、減衰ピストン６は、減衰シリンダ５の内側に設けられ且つ主減衰領域Ｈを形成する狭窄部（くびれ部）７の領域にまさにある。減衰ピストン６がその位置にあるとき、減衰作用ないし減衰力Ｄは最大となる。
【００２８】
主減衰領域Ｈを通り過ぎた後、駆動装置１によって図４に示す位置に到達し、即ち、可動家具部品２が、閉じ位置と超過押圧位置ＵＳとの間の超過押圧領域Ｕに配置される。その超過押圧領域Ｕでは、減衰装置４の一部に減衰力Ｄはほとんど作用しない。
【００２９】
図５〜図７は、図２〜図４の各位置に対応する減衰装置１の３Ｄ（三次元）断面図を示す。
【００３０】
図２〜７を参照すると、それらの図は、プレ減衰領域Ｖ、主減衰領域Ｈおよび超過押圧領域Ｕを含む単一のピストン・シリンダユニット（減衰ユニット）を示す。しかしながら、代替的又は追加的に、減衰装置４が二つの減衰ユニット４ａ及び４ｂを備えることもできる、即ち、図８に示すように、減衰ユニット４ｂだけが狭窄部（くびれ部）７を有し、減衰ユニット４ｂの当該部分が主減衰領域Ｈを形成することもできる。そのような構成は、既存の駆動装置１に減衰ユニット４ｂが事後装着される場合に特に適している。重要なことは、個々の減衰ユニット４ａ，４ｂの減衰力Ｄの合計が、可動家具部品２にとっての所望の減衰力Ｄを再び生み出すということである。
【００３１】
図９は、可動家具部品２の閉じ行程（ｍｍで与えられる）に沿った減衰力Ｄ（Ｎで与えられる）の進展のグラフを模式的に示す。可動家具部品２ないし駆動装置１が閉じ行程での動作時に減衰装置４に出くわすや否や、減衰装置４がプレ減衰領域にある状態で、減衰力Ｄが上がる。閉じ位置ＳＳに到達する前に、減衰装置４の減衰力Ｄは大きく上昇し、不正確な動作の際に閉じ位置への到達が想定されるところの主減衰領域Ｈに達する。遅くとも、真なる閉じ位置ＳＳに到達したとき、減衰力Ｄは低レベル領域に再び落ちる。閉じ位置ＳＳと超過押圧位置ＵＳとの間にある超過押圧領域Ｕでは、減衰力Ｄは再び、小さな起動圧をかけることで所望の起動時に乗り越えられ得る範囲内にある。
【００３２】
図１０は、特定の測定値を伴ったグラフを示す。図示の減衰力Ｄは、可動家具部品２に４０ｋｇの負荷をおわせ、減衰シリンダ５の長さを３５ｍｍとした状態で、１００ｍｍ／ｓの閉じ速度で測定された。ここからわかるように、プレ減衰領域Ｖの始まりでは、減衰力Ｄは約３５Ｎの値に向けて相対的に急勾配で上昇する。その領域では、減衰力Ｄはそれ自体、速度依存性である。減衰装置４の設計構造のおかげで、その配置（構成）は、可動家具部品２の閉じ速度の自動的な平準化をもたらす。主減衰領域Ｈに到達するや否や、減衰力Ｄは大きく上昇し、約１２５Ｎで、過負荷保護機構が作動開始されるところの最大値に達し、その後すぐに減衰力Ｄは急に約７０Ｎに低下する。この過負荷ピークを伴ったプロセスは、主減衰領域Ｈを通り過ぎて減衰力Ｄが実際上０Ｎ（ゼロ  ニュートン）に低下するまで複数回繰り返される。
【００３３】
本発明は、行程依存性減衰をもたらす駆動装置１について説明するものであり、その行程依存性減衰は、閉じ位置ＳＳに達する前の領域で、減衰装置４の減衰力Ｄが非常に大きく増大し、万一不正確な操作の場合でも閉じ位置への到達が操作者に想定され、これにより代替的な、超過押圧に対する保護を提供するものである。
【図１】
2016516495.tif 000003
【図２】
2016516495.tif 000004
【図３】
2016516495.tif 000005
【図４】
2016516495.tif 000006
【図５】
2016516495.tif 000007
【図６】
2016516495.tif 000008
【図７】
2016516495.tif 000009
【図８】
2016516495.tif 000010
【図９】
2016516495.tif 000011
【図１０】
2016516495.tif 000012
【国際調査報告】
2016516495.tif 000013
2016516495.tif 000014
2016516495.tif 000015
2016516495.tif 000016
2016516495.tif 000017
2016516495.tif 000018